(57)【要約】    【課題】  小型軽量で且つ頻繁に補助フィルタを交換する必要のない電気掃除機を提供する。    【解決手段】  ノズル体２の吸い込み口１と排気口８との間に集塵部12を設ける。把持体６は、前記ノズル体２に対して基端３を回動自在に設けると共に、前記排気口８に連通する吸気口17を前記基端３に設ける。前記把持体６の内部に、吸気口17に連通する電動送風機21を設ける。前記把持体６側に設けた前記吸気口17に補助フィルタ19を設ける。前記ノズル体２側に設けた前記排気口８に前記補助フィルタ19に当接する掻き取り部材27，29を設ける。前記把持体６が上下動する度に前記補助フィルタ19が前記掻き取り部材27，29に対して摺動するようになって、前記補助フィルタ19に付着した塵芥を掻き落とし、この補助フィルタ19を常時目詰まりのない清潔な状態とすることができる。    【選択図】  図１
2005040360.tif 000002
【特許請求の範囲】
【請求項１】
吸い込み口と排気口との間に集塵部を設けたノズル体と、該ノズル体に対して基端を回動自在に設けると共に前記排気口に連通する吸気口を前記基端に設けた把持体と、前記把持体の内部に設けられると共に前記吸気口に連通する電動送風機とを備えた電気掃除機において、前記排気口と前記吸気口のいずれか一方に補助フィルタを設けると共に他方に該補助フィルタに当接する掻き取り部材を設けたことを特徴とする電気掃除機。
【請求項２】
前記ノズル体に対して前記基端をヒンジ部を介して回動自在に設け、前記吸気口を前記ヒンジ部と一体的に設けたことを特徴とする請求項１記載の電気掃除機。
【請求項３】
前記排気口と前記吸気口とが同芯の円弧面状に形成され摺動自在に設けられていることを特徴とする請求項１記載の電気掃除機。
【請求項４】
前記排気口に前記掻き取り部材を設けると共に前記吸気口に補助フィルタを設けたことを特徴とする請求項１記載の電気掃除機。
【発明の詳細な説明】
【技術分野】
【０００１】
本発明は、床等の塵埃を吸引するための電気掃除機に関するものである。
【背景技術】
【０００２】
従来のこの種の電気掃除機として、電動送風機を備えた掃除機本体と、吸口体（本発明のノズル体に該当する）とを有し、この吸口体に集塵部を着脱自在に設けたものが知られている（例えば、特許文献１参照。）。そして、このような構造にすることによって、全体が小型軽量となり、使い勝手の良い電気掃除機が得られる。また、集塵袋（本発明の集塵部に該当する）の下流側に、補助フィルタを設けたものも知られている（例えば、特許文献２参照。）。そして、このような構造にすることにより、集塵袋を通過してしまった塵埃が補助フィルタによって捕捉される。更に、前記特許文献１のような電気掃除機に、特許文献２のような補助フィルタを設けることで、小型軽量で且つ塵埃の漏れが少ない電気掃除機を得ることが可能となる。
【０００３】
しかしながら、前記補助フィルタは、前記集塵袋を通過した細かい塵埃で目詰まりしてしまう虞があった。そして、前記補助フィルタが目詰まりを起こすことで、電動送風機によって生ずる気流の抵抗が大きくなり、集塵力が低下するという問題があった。そして、集塵力が低下した場合、補助フィルタを交換することになるが、この交換作業が面倒であった。
【特許文献１】特開２００２−３５５１９６号公報
【特許文献２】特開平１１−２５３３６４号公報
【発明の開示】
【発明が解決しようとする課題】
【０００４】
そこで、本発明は以上の問題点を解決し、吸い込み口と排気口との間に集塵部を設けたノズル体と、該ノズル体に対して基端を回動自在に設けると共に先端に把手を設けた操作棒と、前記操作棒の内部に設けられると共に前記排気口に連通する吸気口を前記基端に設けた電動送風機とを備えた電気掃除機において、小型軽量で且つ頻繁に補助フィルタを交換する必要のない電気掃除機を提供することを目的とする。
【課題を解決するための手段】
【０００５】
本発明の請求項１に記載の電気掃除機は、吸い込み口と排気口との間に集塵部を設けたノズル体と、該ノズル体に対して基端を回動自在に設けると共に前記排気口に連通する吸気口を前記基端に設けた把持体と、前記把持体の内部に設けられると共に前記吸気口に連通する電動送風機とを備え、前記排気口と前記吸気口のいずれか一方に補助フィルタを設けると共に他方に該補助フィルタに当接する掻き取り部材を設けたものである。
【０００６】
また、本発明の請求項２に記載の電気掃除機は、前記ノズル体に対して前記基端をヒンジ部を介して回動自在に設け、前記吸気口を前記ヒンジ部と一体的に設けたものである。
【０００７】
また、本発明の請求項３に記載の電気掃除機は、前記排気口と前記吸気口とが同芯の円弧面状に形成され摺動自在に設けられているものである。
【０００８】
また、本発明の請求項４に記載の電気掃除機は、前記排気口に前記掻き取り部材を設けると共に前記吸気口に補助フィルタを設けたものである。
【発明の効果】
【０００９】
請求項１の本発明によれば、前記掻き取り部材が前記補助フィルタに当接した状態で、電気掃除機を前後に動かしながら床等を清掃することで、前記掃除機本体が前記ノズル体に対して自然に且つ相対的に回動するのに伴って、前記掻き取り部材によって前記補助フィルタに付着した塵埃が掻き取られるので、普通に床等を清掃しながら補助フィルタに付着した塵埃を掻き取り、補助フィルタにおける気流の抵抗が大きくなることを防ぐことで、集塵力が低下することを防止することができる。
【００１０】
また、請求項２の本発明によれば、ヒンジ部に前記吸気口が一体的に設けられるので、把持体の基端まわりを小型化することができる。
【００１１】
また、請求項３の本発明によれば、排気口と前記吸気口とが同芯の円弧面状に形成されて面状に摺動すると共に、前記排気口と前記吸気口のいずれか一方に補助フィルタを設けると共に他方に該補助フィルタに当接する掻き取り部材を設けたことにより、吸気面積を確保すると共に、補助フィルタに付着した塵埃を均一に掻き取ることができる。
【００１２】
また、請求項４の本発明によれば、前記補助フィルタが回動して、この回動する補助フィルタに掻き取り部材が当接することによって、掻き取り部材が固定側となり掻き取り部材を補助フィルタに正確な角度等で当接できること等が可能となる。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
以下、本発明の実施形態を添付図面を参照して説明する。電気掃除機は、吸い込み口１を備えたノズル体２と、このノズル体２に対して基端３をヒンジ部４を介して回動自在に設けると共に先端に握り部５を設けた把持体６とを備える。前記ノズル体２は、平面形状がほぼ矩形で偏平なケース本体７の前部下面に吸い込み口１が幅方向に形成されていると共に、前記ケース本体７の後部には排気口８が後方斜め上方に向けて設けられている。そして、この排気口８の出口９側には、前記ヒンジ部４を回動可能に嵌合するヒンジ受け部10が設けられる。このヒンジ受け部10は、前記排気口８の出口９側の縁の上下側を連続する凹状円弧面11によって形成したものであって、この凹状円弧面11の中心軸線Ｘは、前記排気口８の後方、好ましくは後方斜め上方の位置に、前記ノズル体２の幅方向を向くように配置されている。なお、前記凹状円弧面11の中心軸線Ｘは、さらに好ましくは前記排気口８の軸芯Ｙのほぼ延長線上にあることが好ましい。
【００１５】
そして、前記吸い込み口１と排気口８との間に箱形の集塵部12を設ける。この集塵部12は、前記吸い込み口１に臨んで前面部に入口13が設けられると共に、前記排気口８に臨んで後面部に出口14が設けられ、そして、この出口14には塵芥を捕捉するためのフィルタ15が設けられている。なお、前記集塵部12は、前記ケース本体７に対して一点鎖線で示すように着脱自在に設けられると共に、図示しない開閉部を介して内部に収容された塵芥を排出できるようになっている。また、前記入口13には、図示しない逆止弁機構が設けられている。
【００１６】
先端に前記握り部５を設けた前記把持体６は、軸線Ｚがほぼ直線状の比較的長い筒部材からなる把持体本体16と、この把持体本体16の基端３側に設けられ吸気口17を備えた吸気口体18と、前記吸気口17の外周を覆うようにして前記吸気口体18と一体に設けられる前記ヒンジ部４からなる。そして、前記吸気口体18は、その基端３側に前記排気口８に連通する前記吸気口17を設けると共に、この吸気口17を覆うように補助フィルタ19を設ける。なお、前記排気口８の前記軸線Ｘと平行で且つ前記軸線Ｙと直交する方向の横幅と前記吸気口17の横幅は、ほぼ同じに形成されている。また、前記吸気口体18の先端には、前記把持体本体16の先端が嵌合する筒状の嵌合受け部20を設け、さらに、前記吸気口体18のほぼ中央に電動送風機21が設けられる。この電動送風機21は、モータ22と、このモータ22の回転軸に装着された吸気用羽根23からなり、この吸気用羽根23は、前記吸気口17に臨むように設けられている。
【００１７】
そして、前記ヒンジ部４は、ほぼ半割りした円筒を横置きした形状であり、さらに詳述すると、前記ヒンジ部４は、前記吸気口17の縁の上下に凸状円弧面24を形成したものであって、この凸状円弧面24は前記凹状円弧面11に対して摺動可能に、前記ヒンジ部４に形成されている。そして、前記凸状円弧面24の円弧長さ、すなわち周方向の長さは、前記凹状円弧面11の円弧長さよりも長く形成されている。さらに、前記吸気口17における円弧長さは、前記排気口８における円弧長さよりも長く形成されている。また、前記凸状円弧面24の中心軸線Ｘは、前記凹状円弧面11の中心軸線Ｘと同一位置に配置されている。一方、前記ヒンジ部４の左右側面には、回動用支持軸25が両側に突設して設けられる。この回動用支持軸25の中心軸線は、前記中心軸線Ｘと一致していると共に、前記回動用支持軸25は、前記ケース本体７の後部内側に設けた軸受部26に対して回動自在に嵌合している。
【００１８】
さらに、前記排出口８に、前記補助フィルタ19に当接する下部の掻き取り部材27を設ける。この掻き取り部材27はブラシ状であって、その基端を前記排出口８の出口９の下縁の全幅に沿って固定すると共に、その先端28を、前記補助フィルタ19に向けて上方又は斜め後側上方向きに配置し、この補助フィルタ19に当接させるようになっている。さらに、前記排出口８に、前記補助フィルタ19に当接する上部の掻き取り部材29を設ける。この掻き取り部材29もブラシ状であって、その基端を前記排出口８の出口９の上縁の全幅に沿って固定すると共に、その先端を、前記補助フィルタ19に向けて下方又は斜め後側下方向きに配置し、この補助フィルタ19に当接させるようになっている。なお、図中30はノズル体の底面の前後部に設けた車輪を示している。
【００１９】
次に、前記構成についてその作用を説明する。前記握り部５に設けた図示しないスイッチをオンすると共に、前記握り部５を握って電気掃除機を前後に移動させることにより、前記モータ22が作動して前記羽根23が回転し、床にある塵芥は吸い込み口１から外気と共に集塵部12に吸引される。この集塵部12において、塵芥は前記フィルタ15によって捕捉されて収容される。さらに、前記フィルタ15を通った気流は、前記排気口８から前記把持体６側の吸気口17に至り、さらに、前記電動送風機21の図示しない２次側の排気口から排気される。そして、前記気流が前記吸気口17に至る際、前記フィルタ15によって捕捉されなかった塵芥を、前記補助フィルタ19によって捕捉することができる。
【００２０】
そして、床清掃の際に、使用者が前記握り部５を把持して前記ノズル体２を前後に移動させることで、前記軸芯Ｘを中心として、前記把持体６が自然に上下に回動する。このとき、例えば使用者が前記握り部５を把持して前記ノズル体２を前方に押し出すと、前記軸芯Ｘを中心として、前記把持体６が自然に下方に回動する。そして、この把持体６の軸線Ｚが下方に回動して軸線Ｚ´の位置に移動すると、前記把持体６と一体的に前記吸気口17に設けられた前記補助フィルタ19が、前記軸芯Ｘを中心として逆に上方へ回動する。このとき、前記掻き取り部材27，29が当接した状態で、前記補助フィルタ19が前記掻き取り部材27，29に対して相対的に移動する。この結果、前記把持体６が上下動する度に、前記補助フィルタ19に捕捉された塵芥は前記掻き取り部材27，29により掻き落とされることとなり、前記補助フィルタ19を目詰まりがないように清潔に保つことができる。なお、清掃終了後に電気掃除機を片付けるとき、前記把持体６を回動しても同様な作用をなすものである。
【００２１】
以上のように前記実施例では、前記把持体６側に設けた吸気口17に前記補助フィルタ19を設け、前記ノズル体２側に設けた排気口８に前記補助フィルタ19に当接する掻き取り部材27，29を設けることにより、前記ノズル体２を前後に移動させることで前記把持体６が自然に上下に回動する度に、前記補助フィルタ19が前記掻き取り部材27，29に対して摺動し、これらの掻き取り部材27，29によって、前記補助フィルタ19に付着した塵芥が掻き落とされるので、前記補助フィルタ19を常時目詰まりのない清潔な状態とすることができる。このため、前記補助フィルタ19における気流の抵抗が大きくなることを防ぐことができる。しかも、清掃時などにおいて、前記ノズル体２を前後に移動させることに伴って前記把持体６が自然に上下動することにより、自動的に前記補助フィルタ19に付着した塵芥を掻き落とすことができるので、前記補助フィルタ19の清掃忘れなどがない。
【００２２】
また、前記ヒンジ部４に前記吸気口17が一体的に設けられるので、前記把持体６の基端３周りを小型化することができるので、前記ノズル体２における基端３周り等も小型化することができる。
【００２３】
さらに、前記排気口８と吸気口17とが前記凹状円弧面11と凸状円弧面24とによる同芯の円弧面状に形成されて面状に摺動し、前記吸気口17に前記補助フィルタ19を設けると共に、前記排気口８側に、前記補助フィルタ19に当接する前記掻き取り部材27，29を設けたことにより、空気が通る面積を確保して、前記補助フィルタ19に付着した塵埃を均一に掻き取ることができる。
【００２４】
しかも、前記排気口８に前記掻き取り部材27，29を設け、前記吸気口17に前記補助フィルタ19を設けることにより、前記掻き取り部材27，29が固定側となり、前記掻き取り部材27，29を補助フィルタ19に正確な角度、押圧力等で当接させること等が可能となる。
【００２５】
なお、本発明は、前記実施例に限定されるものではなく、種々の変形実施が可能である。例えば、前記排気口に補助フィルタを設けると共に、前記吸気口に掻き取り部材を設けてもよい。また、先端が補助フィルタに当接して塵芥を掻き落とす掻き取り部材は、ブラシ以外に、スクレーパのようなものであってもよい。
【図面の簡単な説明】
【００２６】
【図１】本発明の一実施例を示す縦断面図である。
【図２】本発明の一実施例を示す一部切り欠き平面図である。
【符号の説明】
【００２７】
１  吸い込み口
２  ノズル体
３  基端
４  ヒンジ部
６  把持体
８  排気口
11  凹状円弧面
12  集塵部
17  吸気口
19  補助フィルタ
21  電動送風機
24  凸状円弧面
27  29  掻き取り部材
【図１】
2005040360.tif 000003
【図２】
2005040360.tif 000004